(57)【要約】【課題】検眼装置の通信仕様が不一致の場合でも、検眼装置間で情報を移動できる検眼情報記憶装置、検眼システムを提供する。また、様々な検査態様に柔軟に対応できる検眼システムを提供する。【解決手段】記憶装置３０の制御部３９は、他覚式検眼装置１０の検眼情報を、赤外線送受信部３４又は入出力端子３３を制御して、他覚式検眼装置１０から受信し、検眼情報記憶部３８ｂに記憶し、検眼情報記憶部３８ｂに記憶した記憶情報を、赤外線送受信部３４又は入出力端子３３を制御して、自覚式検眼装置５０に送信する。【選択図】図２
2015009086.tif 000002
【特許請求の範囲】
【請求項１】
第１検眼装置と第２検眼装置とを備える検眼システムに用いられ、前記第１検眼装置から前記第２検眼装置に検眼情報を移動するための検眼情報記憶装置であって、
検眼情報を記憶する記憶部と、
前記第１検眼装置及び前記第２検眼装置との間で、無線で通信する無線通信部と、
前記第１検眼装置及び前記第２検眼装置との間で、有線で通信する有線通信部と、
制御部とを備え、
前記制御部は、
前記第１検眼装置の前記検眼情報を、前記無線通信部又は前記有線通信部を制御して、前記第１検眼装置から受信し、前記記憶部に記憶し、
前記記憶部に記憶した記憶情報を、前記無線通信部又は前記有線通信部を制御して、前記第２検眼装置に送信すること、
を特徴とする検眼情報記憶装置。
【請求項２】
請求項１に記載の検眼情報記憶装置において、
操作者が操作可能であり、前記無線通信部及び前記有線通信部のなかから通信方法を選択する通信選択操作部を備え、
前記制御部は、
前記第１検眼装置との間で通信する場合に前記通信選択操作部の操作を受け付け、
前記第２検眼装置との間で通信する場合に前記通信選択操作部の操作を受け付けること、
を特徴とする検眼情報記憶装置。
【請求項３】
請求項１又は請求項２に記載の検眼情報記憶装置において、
前記記憶部は、前記無線通信部の送信項目に関する設定情報を記憶し、
前記制御部は、
前記第２検眼装置との間で前記無線通信部よって通信する場合には、前記記憶部の前記設定情報に基づいて、前記第１検眼装置から受信し前記記憶部に記憶した前記検眼情報のなかから送信項目を抽出して、前記第２検眼装置に赤外線通信で送信すること、
を特徴とする検眼情報記憶装置。
【請求項４】
請求項１から請求項３のいずれかに記載の検眼情報記憶装置において、
前記第１検眼装置は、他覚式検眼装置又はレンズメータであり、
前記第２検眼装置は、自覚式検眼装置であること、
を特徴とする検眼情報記憶装置。
【請求項５】
請求項１から請求項４のいずれかに記載の検眼情報記憶装置において、
前記検眼システムは、
複数の前記第２検眼装置を備え、
複数の前記第２検眼装置の通信部は、それぞれ異なる無線チャネルが割り当てられ、
前記無線通信部は、
複数の前記第２検眼装置のうち１つと通信する１つの無線チャネルが割り当てられていること、
を特徴とする検眼情報記憶装置。
【請求項６】
請求項１から請求項５のいずれかに記載の前記第１検眼装置と、
請求項１から請求項５のいずれかに記載の複数の前記第２検眼装置と、
請求項１から請求項５のいずれかに記載の複数の検眼情報記憶装置を備える検眼システムであって、
複数の前記第２検眼装置の通信部は、それぞれ異なる無線チャネルが割り当てられ、
前記各検眼情報記憶装置の前記各無線通信部は、
複数の前記第２検眼装置のうち１つと通信する１つの無線チャネルとが割り当てられていること、
を特徴とする検眼システム。
【請求項７】
制御部を備える検眼装置と、
操作者が手に持ちながら操作して、前記検眼装置を操作する手持操作装置と、
卓上に配置しながら操作者が操作して、前記検眼装置を操作する卓上操作装置とを備え、
前記手持操作装置は、
操作ボタンを備え、
前記卓上操作装置は、
操作ボタンと、
表示部とを備えること、
を特徴とする検眼システム。
【請求項８】
請求項７に記載の検眼システムにおいて、
前記制御部は、前記手持操作装置からの操作を受け付けて、前記卓上操作装置の前記表示部を制御すること、
を特徴とする検眼システム。
【請求項９】
請求項７又は請求項８に記載の検眼システムにおいて、
前記検眼装置及び前記手持操作装置は、無線で通信し、
前記検眼装置及び前記卓上操作装置は、有線で通信すること、
を特徴とする検眼システム。
【請求項１０】
請求項７から請求項９のいずれかに記載の検眼システムにおいて、
操作ボタンの数は、前記手持操作装置が前記卓上操作装置よりも多く、
前記卓上操作装置の前記表示部は、
タッチパネルであり、
前記手持操作装置が備えており前記卓上操作装置が備えていない操作ボタンを、前記手持操作装置のボタン配置に対応して表示すること、
を特徴とする検眼システム。
【発明の詳細な説明】
【技術分野】
【０００１】
本発明は、検眼情報記憶装置、検眼システムに関するものである。
【背景技術】
【０００２】
従来、眼鏡を処方するための検眼情報を２つの装置間で移動するための記憶媒体があった（例えば特許文献１）。
しかし、これらの装置の通信仕様は、例えば装置のメーカ等によって定められる。このため、従来の記憶媒体は、２つの装置の通信仕様が不一致の場合には、情報を移動できない場合があった。
【０００３】
また、従来、自覚式検眼装置を操作するコントローラあった（例えば特許文献２）。
ここで、自覚式検査の現場では、検査目的や被検者の年齢等に応じて、検査を行いやすい検査態様は、異なる場合がある。例えば、検者及び被検者間の距離に関する検査態様は、短い（例えば１ｍ程度）方が都合がいい場合もあれば、遠い（例えば５ｍ程度）方が都合がいい場合もある。
しかし、従来のコントローラは、このように検査態様が異なる場合に、柔軟に対応できないことがあった。
【先行技術文献】
【特許文献】
【０００４】
【特許文献１】特開平５−１９６５４６号公報
【特許文献２】特開２００７−２３６６３９号公報
【発明の概要】
【発明が解決しようとする課題】
【０００５】
本発明の課題は、検眼装置の通信仕様が不一致の場合でも、検眼装置間で情報を移動できる検眼情報記憶装置、検眼システムを提供することである。
また、本発明の課題は、様々な検査態様に柔軟に対応できる検眼システムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
・第１の発明は、
第１検眼装置（１０）と第２検眼装置（５０）とを備える検眼システム（１）に用いられ、前記第１検眼装置から前記第２検眼装置に検眼情報を移動するための検眼情報記憶装置（３０）であって、
検眼情報を記憶する記憶部（３８）と、
前記第１検眼装置及び前記第２検眼装置との間で、無線で通信する無線通信部（３４）と、
前記第１検眼装置及び前記第２検眼装置との間で、有線で通信する有線通信部（３３）と、
制御部（３９）とを備え、
前記制御部は、
前記第１検眼装置の前記検眼情報を、前記無線通信部又は前記有線通信部を制御して、前記第１検眼装置から受信し、前記記憶部に記憶し、
前記記憶部に記憶した記憶情報を、前記無線通信部又は前記有線通信部を制御して、前記第２検眼装置に送信すること、
を特徴とする検眼情報記憶装置である。
・第２の発明は、
第１の発明の検眼情報記憶装置において、
操作者が操作可能であり、前記無線通信部及び前記有線通信部のなかから通信方法を選択する通信選択操作部（３５）を備え、
前記制御部（３９）は、
前記第１検眼装置（１０）との間で通信する場合に前記通信選択操作部の操作を受け付け、
前記第２検眼装置（５０）との間で通信する場合に前記通信選択操作部の操作を受け付けること、
を特徴とする検眼情報記憶装置である。
・第３の発明は、
第１又は第２の発明の検眼情報記憶装置において、
前記記憶部（３８ａ）は、前記無線通信部の送信項目に関する設定情報を記憶し、
前記制御部（３９）は、
前記第２検眼装置との間で前記無線通信部（３４）よって通信する場合には、前記記憶部の前記設定情報に基づいて、前記第１検眼装置から受信し前記記憶部（３８ｂ）に記憶した前記検眼情報のなかから送信項目を抽出して、前記第２検眼装置（５０）に赤外線通信で送信すること、
を特徴とする検眼情報記憶装置である。
・第４の発明は、
第１から第３のいずれかの発明の検眼情報記憶装置において、
前記第１検眼装置は、他覚式検眼装置（１０）又はレンズメータであり、
前記第２検眼装置は、自覚式検眼装置（５０）であること、
を特徴とする検眼情報記憶装置である。
・第５の発明は、
第１から第４のいずれかの発明の検眼情報記憶装置において、
前記検眼システム（１）は、
複数の前記第２検眼装置（５０−１〜５０−１０）を備え、
複数の前記第２検眼装置（５０）の通信部（５４）、それぞれ異なる無線チャネルが割り当てられ、
前記無線通信部（３４）は、
複数の前記第２検眼装置のうち１つと通信する１つの無線チャネルが割り当てられていること、
を特徴とする検眼情報記憶装置である。
・第６の発明は、
第１から第５のいずれかの発明の前記第１検眼装置（１０）と、
第１から第５のいずれかの発明の複数の前記第２検眼装置（５０）と、
第１から第５のいずれかの発明の複数の検眼情報記憶装置（３０）を備える検眼システムであって、
複数の前記第２検眼装置の通信部（５４）は、それぞれ異なる無線チャネルが割り当てられ、
前記各検眼情報記憶装置の前記各無線通信部（３４）は、
複数の前記第２検眼装置のうち１つと通信する１つの無線チャネルとが割り当てられていること、
を特徴とする検眼システムである。
【０００８】
・第７の発明は、
制御部（５９）を備える検眼装置（５０）と、
操作者が手に持ちながら操作して、前記検眼装置を操作する手持操作装置（６０）と、
卓上に配置しながら操作者が操作して、前記検眼装置を操作する卓上操作装置（７０）とを備え、
前記手持操作装置は、
操作ボタン（６１ａ〜６１ｂ）を備え、
前記卓上操作装置は、
操作ボタン（７１ａ）と、
表示部（７２）とを備えること、
を特徴とする検眼システムである。
・第８の発明は、
第７の発明の検眼システムにおいて、
前記制御部（５９）は、前記手持操作装置（６０）からの操作を受け付けて、前記卓上操作装置（７０）の前記表示部（７２）を制御すること、
を特徴とする検眼システムである。
・第９の発明は、
第７又は第８の発明の検眼システムにおいて、
前記検眼装置（５０）及び前記手持操作装置（６０）は、無線で通信し、
前記検眼装置（５０）及び前記卓上操作装置（７０）は、有線で通信すること、
を特徴とする検眼システムである。
・第１０の発明は、
第７から第９のいずれかの発明の検眼システムにおいて、
操作ボタンの数は、前記手持操作装置（６０）が前記卓上操作装置（７０）よりも多く、
前記卓上操作装置の前記表示部（７２）は、
タッチパネルであり、
前記手持操作装置が備えており前記卓上操作装置が備えていない操作ボタン（６１ｂ，６１ｃ）を、前記手持操作装置のボタン配置に対応して表示すること、
を特徴とする検眼システムである。
【発明の効果】
【０００９】
本発明によれば、以下の効果を奏することができる。
・第１の発明は、第１検眼装置と第２検眼装置の通信仕様が異なる場合でも、第１検眼装置と第２検眼装置の通信仕様に合わせて、検眼情報を送受信できる。また、第１検眼装置と第２検眼装置とが離れて配置されていても、第２検眼装置に無線通信可能な範囲に検者等が記憶装置を持って移動すれば、第２検眼装置に検眼情報を送信できる。
・第２の発明は、通信選択操作部を備えるので、第１検眼装置と第２検眼装置の通信仕様に合わせて、通信方法を選択できる。
・第３の発明は、第１検眼装置から受信した検眼データを抽出して第２検眼装置に無線で送信できる。そのため、無線通信の容量を小さくできるので、赤外線通信のように通信容量が小さい通信手法を用いても、検眼データを送信できる。また、医療装置への影響を軽減できる。
・第４の発明は、第１検眼装置が他覚式検眼装置又はレンズメータであり、第２検眼装置が自覚式検眼装置であるので、他覚式検眼装置で検査した被検者の検眼情報や、レンズメータで測定して眼鏡等の検眼情報を、記憶装置を使って、自覚式検眼装置に移動できる。
・第５、第６の発明は、複数台の第２検眼装置を備えるシステムに対応できる。このため、例えば、第１検眼装置の検査が自覚式検査であり短時間である場合、かつ、第２検眼装置の検査が自覚式検査であり長時間である場合に、適切に対応できる。
【００１０】
また、本発明によれば、以下の効果を奏することができる。
・第７の発明は、手持操作装置、卓上操作装置を備えるので、検査状況（検者の位置等）に柔軟に対応できる。
・第８の発明は、手持操作装置からの操作を受け付けて、卓上操作装置の表示部を制御するので、検者が被検者及び検眼装置から離れた位置にいる場合にも、被検者に卓上操作装置の表示部を見せて検眼情報等を説明しながら、手持操作装置を操作できる。
・第９の発明は、検眼装置及び手持操作装置間が無線で通信するので、検眼装置から離れた位置から検眼装置を操作できる。一方、検眼装置及び卓上操作装置が有線で通信するので、大容量の画面情報等を有線で通信できる。
・第１０の発明は、卓上操作装置が備えていない操作ボタンが、手持操作装置のボタン配置でタッチパネルに表示されるので、操作性を向上できる。つまり、卓上操作装置、手持操作装置を交互に操作するような場面でも、ボタン位置が確認しやすく、混乱せずに操作できる。
【図面の簡単な説明】
【００１１】
【図１】実施形態の検眼システム１の全体構成を説明する図である。
【図２】実施形態の他覚式検眼装置１０、記憶装置３０、自覚式検眼装置５０の各構成を説明する図である。
【図３】実施形態の他覚式検眼装置１０、記憶装置３０の斜視図である。
【図４】実施形態の記憶装置３０の斜視図である。
【図５】実施形態の自覚式検眼装置５０、記憶装置３０の斜視図である。
【図６】実施形態の検眼情報を、装置間で移動する処理を説明するフローチャートである。
【図７】実施形態の検眼システム１の自覚式検査時の態様を説明する斜視図である。
【図８】実施形態の手持操作装置６０、卓上操作装置７０を示す図である。
【発明を実施するための形態】
【００１２】
（実施形態）
以下、図面等を参照して、本発明の実施形態について説明する。
図１は、実施形態の検眼システム１の全体構成を説明する図である。
検眼システム１は、他覚式検眼装置１０（第１検眼装置）の検眼情報を、記憶装置３０（検眼情報記憶装置）を用いて自覚式検眼装置５０（第２検眼装置）に移動できるものである。自覚式検眼装置５０では、移動した検眼情報を利用して、手持操作装置６０、卓上操作装置７０を操作して自覚式検査を行う。
なお、検眼情報の移動とは、コピー（複製）を含む概念である。
【００１３】
検眼システム１は、他覚式検眼装置１０、記憶装置３０、自覚式検眼装置５０、チャート投影機９０（視標表示部）を備える。
他覚式検眼装置１０は、１台設けられている。記憶装置３０、自覚式検眼装置５０は、それぞれ１０台（記憶装置３０−１〜３０−１０、自覚式検眼装置５０−１〜５０−１０）設けられている。台数は、これに限定されることなく、例えば１台から数十台程度に適宜変更できる。
各記憶装置３０と各自覚式検眼装置５０とは、赤外線通信のチャネルが対応付けられており、各組み合わせを構成する。例えば、記憶装置３０−１と自覚式検眼装置５０−１とは、赤外線通信のチャネルが対応付けられており、１組になっている。
【００１４】
（検眼システム１の構成）
検眼システム１の構成について説明する。
図２は、実施形態の他覚式検眼装置１０、記憶装置３０、自覚式検眼装置５０の各構成を説明する図である。
図３は、実施形態の他覚式検眼装置１０、記憶装置３０の斜視図である。
図４は、実施形態の記憶装置３０の斜視図である。
図５は、実施形態の自覚式検眼装置５０、記憶装置３０の斜視図である。
【００１５】
（他覚式検眼装置１０）
図２、図３に示すように、他覚式検眼装置１０は、操作部１１、他覚式測定部１２、入出力端子１３（有線通信部）、赤外線送信部１４（無線通信部）、記憶部１８、制御部１９を備える。
【００１６】
操作部１１は、検者が他覚式検眼装置１０を操作するための部材である。操作部１１は、操作ボタン等を備える。
他覚式測定部１２は、被検者を検眼するための部分である。他覚式測定部１２は、他覚式検眼光学系、指標等を備える。
入出力端子１３は、他の装置との間で情報を通信するための端子である。入出力端子１３は、ＲＳ２３２Ｃ規格のものである。ＲＳ２３２Ｃ規格を利用する理由は、この規格が検眼装置の分野では、汎用性が高いからである。
赤外線送信部１４は、他の装置との間で情報を、赤外線送信するための部分である。赤外線送信部１４は、赤外線で情報を送信する送信素子等を備える。
記憶部１８は、他覚式検眼装置１０の動作に必要なプログラム、情報等を記憶するためのハードディスク、半導体メモリ素子等の記憶装置である。
記憶部１８は、検眼情報記憶部１８ｂを備える。
検眼情報記憶部１８ｂは、他覚式検眼装置１０で測定した検眼情報を記憶する記憶領域である。なお、実施形態では、検眼情報は、以下の６項目であるが、これに限定されるものではなく、項目を削除してもよく、又は他の項目を追加してもよい。
・球面度数
・乱視度数
・乱視軸
・瞳孔間距離
・加入度
・プリズム度数
【００１７】
制御部１９は、他覚式検眼装置１０を統括的に制御するための制御装置であり、例えば、ＣＰＵ（中央処理装置）等から構成される。
制御部１９は、記憶部１８に記憶された各種プログラムを適宜読み出して実行することにより、前述したハードウェアと協働し、本発明に係る各種機能を実現している。
制御部１９は、検者の操作部１１の操作に基づいて、他覚式検眼装置１０で測定した被検者の検眼情報を、検眼情報記憶部１８ｂに記憶する。
【００１８】
（記憶装置３０）
図２、図４に示すように、記憶装置３０は、設定スイッチ３１、入出力端子３３（有線通信部）、赤外線送受信部３４（無線通信部）、通信切り替えスイッチ３５（通信選択操作部）、受信ボタン３６、送信ボタン３７、記憶部３８、制御部３９を備える。記憶装置３０は、電池（電源）を備え、これから電力が供給されて駆動する。
【００１９】
設定スイッチ３１は、検者等が記憶装置３０の初期設定等をするための操作装置である。設定スイッチ３１は、例えばＤＩＰスイッチ等であり、ケース内部に収容されている。このため、設定スイッチ３１は、初期設定等のために操作される。設定スイッチ３１は、通信方法の設定等をすることができる。設定スイッチ３１による設定情報は、記憶部３８の設定情報記憶部３８ａ（後述する）に記憶される。
入出力端子３３は、他の装置との間で情報を通信するＲＳ２３２Ｃ規格の端子である。
赤外線送受信部３４は、他の装置との間で情報を、赤外線で送受信するための部分である。赤外線送信部１４は、赤外線で情報を送信する送信素子、赤外線で情報を受信する受信素子等を備える。
【００２０】
通信切り替えスイッチ３５、受信ボタン３６、送信ボタン３７は、検者が記憶装置３０を操作するための操作部である。
通信切り替えスイッチ３５は、他の装置との間の通信を、有線で行うか、赤外線（無線）で行うかを選択する操作部である。
なお、有線は、通信ケーブル等を用いるだけでなく、入出力端子同士を直接接続する形態も含む概念である。
受信ボタン３６は、他覚式検眼装置１０から検眼情報を受信する場合に操作する操作部である。
送信ボタン３７は、自覚式検眼装置５０に検眼情報を送信する場合に操作する操作部である。
【００２１】
記憶部３８は、記憶装置３０の動作に必要なプログラム、情報等を記憶する半導体メモリ素子等の記憶装置である。
記憶部３８は、設定情報記憶部３８ａ、検眼情報記憶部３８ｂを備える。
検眼情報記憶部３８ｂは、他覚式検眼装置１０で測定した検眼情報を記憶する記憶領域である。
設定情報記憶部３８ａは、設定スイッチ３１から受け付けた設定情報を記憶する記憶領域である。
【００２２】
設定情報記憶部３８ａが記憶する設定情報の項目は、例えば、以下の通りである。
・赤外線チャネル情報：記憶装置３０がその組みの自覚式検眼装置５０との間で、赤外線で通信するために割り当てられたチャネルである。これにより、記憶装置３０−１であれば、自覚式検眼装置５０−１のみに検眼情報を送信できる。
・送信項目設定情報：検眼情報を、他覚式検眼装置１０に赤外線送信する場合の設定情報である。実施形態では、加入度、プリズム度数の検眼情報、つまり処方値が「０」である場合には、加入度、プリズム度数を送信しないように設定されている。
・通信方法設定情報：検眼情報を受信する場合、検眼情報を送信する場合のそれぞれについて、赤外線、有線で通信するかの設定情報である。つまり、検者等は、受信方法として有線受信及び赤外線受信から１つを設定でき、また、送信方法として有線送信及び赤外線送信から１つを設定できる。この設定は、任意であり、つまり、設定されていても、設定されていなくてもよい。後述するように、設定されている場合には、通信切り替えスイッチ３５の操作よりも、通信方法設定情報の設定が優先される。
【００２３】
検眼情報記憶部３８ｂは、他覚式検眼装置１０から受信した被検者の検眼情報を、記憶する領域である。検眼情報は、他覚式検眼装置１０と同様な上記６項目である。
制御部３９は、記憶装置３０を統括的に制御するための制御装置であり、例えば、ＣＰＵ等から構成される。
制御部３９は、記憶部３８に記憶された各種プログラムを適宜読み出して実行することにより、前述したハードウェアと協働し、本発明に係る各種機能を実現している。
【００２４】
（自覚式検眼装置５０）
図２、図５に示すように、自覚式検眼装置５０は、操作部５１、自覚式測定部５２、入出力端子５３、赤外線受信部５４、記憶部５８、制御部５９、手持操作装置６０、卓上操作装置７０を備える。
【００２５】
操作部５１は、検者が自覚式検眼装置５０を操作するための部材である。操作部５１は、操作ボタン等を備える。
自覚式測定部５２は、被検者の検眼するための部分である。自覚式測定部５２は、自覚式検眼光学系等を備える。
入出力端子５３は、他の装置との間で情報を通信するＲＳ２３２Ｃ規格の端子である。
赤外線受信部５４は、他の装置や手持操作装置６０等との間で情報を、赤外線で受信するための部分である。赤外線受信部５４は、赤外線で情報を受信する受信素子等を備える。
記憶部５８は、自覚式検眼装置５０の動作に必要なプログラム、情報等を記憶するためのハードディスク、半導体メモリ素子等の記憶装置である。また、記憶部５８は、この自覚式検眼装置５０に組み合わされる記憶装置３０の赤外線チャネルの情報を記憶する。これにより、例えば自覚式検眼装置５０−１であれば、複数の記憶装置３０のうち記憶装置３０−１のみから検眼情報を受信できる。
記憶部５８は、検眼情報記憶部５８ｂを備える。
検眼情報記憶部５８ｂは、記憶装置３０から受信した検眼情報を記憶する記憶領域である。検眼情報は、他覚式検眼装置１０と同様な上記６項目である。
【００２６】
制御部５９は、自覚式検眼装置５０を統括的に制御するための制御装置であり、例えば、ＣＰＵ等から構成される。
制御部５９は、記憶部５８に記憶された各種プログラムを適宜読み出して実行することにより、前述したハードウェアと協働し、本発明に係る各種機能を実現している。
【００２７】
手持操作装置６０、卓上操作装置７０は、検者が自覚式検眼装置５０の本体の操作部５１を用いずに、自覚式検眼装置５０を操作するための操作装置である。
【００２８】
（チャート投影機９０）
チャート投影機９０は、視力値の異なる視標を有するチャートをスクリーン９５（図７参照）に表示する投影機である。チャート投影機９０は、自覚式検眼装置５０の本体に電気ケーブルを介して接続されている。チャート投影機９０は、操作部５１、手持操作装置６０、卓上操作装置７０の操作に応じて、制御部５９によって制御される。
【００２９】
（検眼情報の移動方法）
図６は、実施形態の検眼情報を、装置間で移動する処理を説明するフローチャートである。
図６（Ａ）は、他覚式検眼装置１０から記憶装置３０に検眼情報を移動する処理を示す。
図６（Ｂ）は、記憶装置３０から自覚式検眼装置５０に検眼情報を移動する処理を示す。
【００３０】
検眼情報を移動するには、以下の状態を前提とする。
他覚式検眼装置１０では、検者が被検者の測定を終えて、他覚式検眼装置１０の検眼情報記憶部１８ｂに検眼情報が記憶されている。
記憶装置３０では、以下の設定情報が設定情報記憶部３８ａに記憶されている。
・他覚式検眼装置５０との間で赤外線通信するためのチャネル。
・送信項目設定情報としては、加入度、プリズム度数の処方値が「０」である場合には、これを送信しないように設定されている。つまり、記憶装置３０は、加入度の処方値が「０」である場合には、加入度の処方値を送信しない。プリズム度数についても同様である。
・通信方法設定情報は、任意の項目であるので、検者等が必要に応じて設定する。つまり、通信方法設定情報は、設定されていない場合もある。
【００３１】
（他覚式検眼装置１０→記憶装置３０）
他覚式検眼装置１０の検眼情報を記憶装置３０に送信する場合には、検者は、他覚式検眼装置１０の操作部１１で送信操作する。これにより、他覚式検眼装置１０は、検眼情報記憶部１８ｂの検眼情報の送信処理を開始する。
図６（Ａ）に示すように、ステップＳ（以下、Ｓという）１において、検者は、記憶装置３０の受信ボタン３６を操作する。
図５に示すように、この場合、検者は、有線受信したい場合には、他覚式検眼装置１０の入出力端子１３に記憶装置３０の入出力端子３３を接続し、一方、赤外線受信したい場合には、他覚式検眼装置１０の赤外線送信部１４の方向に、記憶装置３０の赤外線送受信部３４を向ける。また、検者は、設定スイッチ３１を用いた通信方法設定情報を設定していない場合には、通信切り替えスイッチ３５を操作して所望の通信方法を選択する。
記憶装置３０の制御部３９は、受信ボタン３６の操作を受け付けると、Ｓ１１に進む。
【００３２】
制御部３９は、設定情報記憶部３８ａを参照して、通信方法設定情報が設定されているか否かを判定する。制御部３９は、設定されていると判定した場合には（Ｓ１１：ＹＥＳ）、Ｓ１１ａに進み、一方、設定されていないと判定した場合には（Ｓ１１：ＮＯ）、Ｓ１２に進む。
【００３３】
Ｓ１１ａにおいて、制御部３９は、通信方法として、設定情報記憶部３８ａの設定を選択する。つまり、制御部３９は、設定情報記憶部３８ａに有線受信と設定されていればこれを選択し、一方、赤外線受信と設定されていればこれを選択する。
これに対して、Ｓ１２において、制御部３９は、通信方法として、通信切り替えスイッチ３５の設定を選択する。つまり、制御部３９は、通信切り替えスイッチ３５で有線受信が選択されていればこれを選択し、一方、赤外線受信が選択されていればこれを選択する。
【００３４】
Ｓ１３において、制御部３９は、Ｓ１１ａ又はＳ１２で選択した通信方法で、検眼情報から送信された検眼情報を受信する。
このように、制御部３９は、Ｓ１１：ＹＥＳ→Ｓ１１ａの処理によって、通信切り替えスイッチ３５の操作に関わらず、設定情報記憶部３８ａの設定を優先する。このため、検者等は、初期設定等によって予め通信方法を設定しておけば、検眼情報の受信の度に、通信切り替えスイッチ３５を操作しなくてもよいので、便利である。
これに対して、制御部３９は、Ｓ１１：ＮＯ→Ｓ１２の処理では、通信切り替えスイッチ３５の選択に従って、検眼情報を受信するので、その都度、受信方法を選択できる。例えば、検者は、通信が安定する有線を用いていたものの、一時的に他覚式検眼装置１０の入出力端子１３に他の機器が接続されている場合等には、赤外線受信を選択できる。
【００３５】
Ｓ１４において、制御部３９は、受信した検眼情報を、検眼情報記憶部３８ｂに記憶する。制御部３９は、検眼情報記憶部３８ｂに上記６項目（球面度数〜プリズム度数）の処方値を全て記憶する。
この場合、制御部３９は、以前の被検者の検眼情報が検眼情報記憶部３８ｂに記憶されていたときには、この情報を、新たに受信した検眼情報に情報を書き換えて更新する。これにより、記憶装置３０には、最新の被検者１人の検眼情報のみが記憶される。
Ｓ１５において、記憶装置３０の制御部３９は、検眼情報の受信に関する処理を終了する。
その後、検者又は被検者は、記憶装置３０を持って、自覚式検眼装置５０の検眼エリアに移動する。
【００３６】
（記憶装置３０→自覚式検眼装置５０）
図６（Ｂ）に示すように、検眼情報を記憶装置３０から自覚式検眼装置５０に送信する場合には、Ｓ２０において、検者は、所望の通信方法を選択して、送信ボタン３７を操作し、また、自覚式検眼装置５０の操作部５１を操作して、検眼情報の受信操作をする。
図５に示すように、この場合、検者は、有線送信したい場合には、自覚式検眼装置５０の入出力端子５３に記憶装置３０の入出力端子３３を接続し、一方、赤外線送信したい場合には、自覚式検眼装置５０の赤外線受信部５４に向けて、記憶装置３０の赤外線送受信部３４を向ける。また、検者は、予め通信方法設定を設定していない場合には、通信切り替えスイッチ３５を操作して所望の通信方法を選択する。
記憶装置３０の制御部３９は、送信ボタン３７の操作を受け付けると、Ｓ２１に進む。
【００３７】
Ｓ２１〜Ｓ２２は、Ｓ１１〜Ｓ１２の受信に関する処理を、送信に関する処理に適用したものである。また、Ｓ２１〜Ｓ２２の処理の作用、効果も、Ｓ１１〜Ｓ１２の処理の作用、効果と同様である。このため、Ｓ２１〜Ｓ２２の処理の詳細な説明は、省略する。
【００３８】
Ｓ２３において、制御部３９は、Ｓ２１ａ又はＳ２２の処理で、赤外線送信が選択されたか否かを判定する。制御部３９は、赤外線送信が選択されたと判定した場合には（Ｓ２３：ＹＥＳ）、Ｓ２３ａに進み、一方、赤外線送信が選択されていないと判定した場合には（Ｓ２３：ＮＯ）、つまり、有線送信が選択された場合には、Ｓ２４に進む。
【００３９】
Ｓ２３ａにおいて、制御部３９は、設定情報記憶部３８ａの送信項目設定情報を参照して、検眼情報記憶部３８ｂの検眼情報の項目のなかから、赤外線送信する項目を選択する。つまり、制御部３９は、検眼情報のうち加入度「０」である場合には、これを送信しない。同様に、制御部３９は、検眼情報のうちプリズム度数「０」である場合には、これを送信しない。
ここで、加入度、プリズム度数は、健常な被検者であれば、通常は「０」であり、他覚式検査での検査開始時には不要な項目である。このため、加入度、プリズム度数が「０」である場合には、これを間引いて送信しても、自覚式検眼装置５０側で「０」として扱えば、他覚検査に支障はない。
このように、制御部３９は、検眼情報から検査項目を抽出して、自覚式検眼装置５０に赤外線通信で送信する。これにより、通信容量の小さい赤外線通信であっても、短時間で送信できるし、また、省電力で検眼情報を送信でき、電池の消耗を軽減できる。
【００４０】
これに対して、Ｓ２４において、制御部３９は、検眼情報の全６項目の情報を、有線で自覚式検眼装置５０に送信する。検眼情報の全６項目の情報を送信する理由は、有線送信する場合には、赤外線送信のような通信容量の制約がほとんどないので、検眼情報の抽出が不要だからである。
Ｓ２５において、記憶装置３０の制御部３９は、検眼情報の送信に関する処理を終了する。
【００４１】
以上説明したように、本実施形態の記憶装置３０は、検眼情報の通信に関して、以下の効果を奏する。
（１）他覚式検眼装置１０と自覚式検眼装置５０のそれぞれの通信仕様に合わせて、検眼情報を送受信できる。例えば、他覚式検眼装置１０が有線通信、赤外線通信のうちいずれかのみを備える場合にも、その通信仕様に合わせて、検眼情報を受信できる。同様に、自覚式検眼装置５０のその通信仕様に合わせて、検眼情報を受信できる。
（２）他覚式検眼装置１０と自覚式検眼装置５０とが離れて配置されていても、他覚式検眼装置１０に赤外線通信可能な範囲に移動すれば、自覚式検眼装置５０に検眼情報を送信できる。
（３）通信容量を小さくして、自覚式検眼装置５０に赤外線送信できるし、また、無線通信に赤外線送信を利用するので、医療装置への影響を軽減できる。
（４）記憶装置３０及び自覚式検眼装置５０間の赤外線通信は、多チャンネル備えるので、複数台の自覚式検眼装置５０を備えるシステムに対応できる。また、通常の検査は、他覚式検査が短時間であり、かつ、自覚式検査が長時間である。このため、医療現場では、複数の自覚式検眼装置５０を備えるシステムが要求される場合が多いが、検眼システム１は、この要求に適切に対応できる。
【００４２】
（手持操作装置６０、卓上操作装置７０）
図７は、実施形態の検眼システム１の自覚式検査時の態様を説明する斜視図である。
図８は、実施形態の手持操作装置６０、卓上操作装置７０を示す図である。
図７に示すように、手持操作装置６０は、検者Ｐ１（操作者）が手に持ちながら操作して、自覚式検眼装置５０を操作する操作装置である。
図８（Ａ）に示すように、手持操作装置６０は、操作ボタン群６１ａ〜６１ｃ、赤外線送信部６４、記憶部５８、制御部５９を備える。
操作ボタン群６１ａ〜６１ｃは、自覚式検眼装置５０を操作するためのボタン群である。なお、操作ボタン群６１ａは、ダイヤル等を備えていてもよい。操作ボタン群６１ｃは、チャート投影機９０を操作するためのボタン群である。
赤外線送信部６４は、手持操作装置６０の操作情報を、自覚式検眼装置５０の本体に対して、赤外線（無線）で送信するための部分である。赤外線送信部６４は、赤外線で情報を送信する送信素子等を備える。
【００４３】
記憶部５８は、手持操作装置６０の動作に必要なプログラム、情報等を記憶するための半導体メモリ素子等の記憶装置である。
制御部５９は、手持操作装置６０を統括的に制御するための制御装置であり、例えば、ＣＰＵ等から構成される。
制御部５９は、記憶部５８に記憶された各種プログラムを適宜読み出して実行することにより、前述したハードウェアと協働し、本発明に係る各種機能を実現している。
【００４４】
図７に示すように、卓上操作装置７０は、検者Ｐ１が卓上に配置しながら操作して、検眼装置を操作する操作装置である。卓上操作装置７０は、電気ケーブルによって、自覚式検眼装置５０に有線で接続されている。
図８（Ｂ）、図８（Ｃ）に示すように、卓上操作装置７０は、操作ボタン群７１ａ、表示部７２、入出力端子７３、記憶部７８、制御部７９を備える。
【００４５】
操作ボタン群７１ａは、手持操作装置６０の操作ボタン群６１ａに対応した配置になっている。
表示部７２は、表示装置、操作装置の機能を有するタッチパネルである。
表示部７２は、検眼情報を表示したり、操作ボタンを表示したりできる。なお、自覚式検眼装置５０及び卓上操作装置７０間は、電気ケーブルで接続されているので、通信容量の大きい画面情報や検眼情報等であっても、通信速度等に関して、実使上問題なく通信できる。
【００４６】
表示部７２は、操作ボタン群７１ｂ，７１ｃ、切り替えボタン７１ｄを表示する。
図８（Ｂ）は、操作ボタン群７１ｂを表示した場面である。図８（Ｃ）は、操作ボタン群７１ｃを表示した場面である。表示部７２は、切り替えボタン７１ｄの操作に応じて、操作ボタン群７１ｂ，７１ｃの表示を、相互に切り替える。
ここで、機械的な押しボタンの数は、手持操作装置６０が卓上操作装置７０よりも多い。つまり、卓上操作装置７０は、手持操作装置６０の操作ボタン群６１ｂ，６１ｃに対応する機械的な押しボタンを備えていない。
卓上操作装置７０は、この操作ボタン群６１ｂ，６１ｃに対応する操作ボタン群７１ｂ，７１ｃを、表示部７２に表示することにより、手持操作装置６０と同様な操作を受け付けることができる。
表示部７２は、操作ボタン群７１ｂ，７１ｃを、それぞれ、手持操作装置６０の操作ボタン群６１ｂ，６１ｃの配置と同様な配置で表示する。
入出力端子７３は、他の装置との間で情報を通信するＲＳ２３２Ｃ規格の端子である。
【００４７】
記憶部７８は、卓上操作装置７０の動作に必要なプログラム、情報等を記憶するためのハードディスク、半導体メモリ素子等の記憶装置である。
制御部７９は、卓上操作装置７０を統括的に制御するための制御装置であり、例えば、ＣＰＵ等から構成される。
制御部７９は、記憶部７８に記憶された各種プログラムを適宜読み出して実行することにより、前述したハードウェアと協働し、本発明に係る各種機能を実現している。
【００４８】
（手持操作装置６０、卓上操作装置７０を用いた自覚式検査）
図７に示すように、検者Ｐ１は、被検者Ｐ２を検眼する場合には、被検者Ｐ２から遠くの位置Ａ１（例えば５ｍｍ程度）を選択するときや、被検者Ｐ２の近くの位置Ａ２（例えば１ｍｍ程度）を選択するときがある。
このように、検者Ｐ１が異なる位置を選択する理由は、例えば、以下のような理由がある。
・遠くの位置Ａ１を選択する場合
検者Ｐ１の診断技量が高い等の理由により、検者Ｐ１が被検者Ｐ２の表情を見ながら検眼することを所望する場合には、チャートが投影されるスクリーンの近くの位置Ａ１を選択し、被検者Ｐ２の正面を確認できた方が検眼しやすい。
この場合には、検者Ｐ１は、手持操作装置６０で操作すればよい。
・近くの位置Ａ２を選択する場合
検者Ｐ１は、被検者Ｐ２に検査内容や検眼情報を説明する場合には、表示部７２を被検者Ｐ２に見せながら検眼する場合がある。また、被検者Ｐ２が聴覚障害者等である場合には、筆談等によって検眼する場合がある。
この場合には、検者Ｐ１は、卓上操作装置７０で操作すればよい。
【００４９】
手持操作装置６０を用いた検査について説明する。
検者Ｐ１は、手持操作装置６０を持ちながら、被検者Ｐ２から遠くの位置Ａ１で、手持操作装置６０の操作ボタン群６１ａ〜６１ｃを操作して、自覚式検眼装置５０を操作できる。
手持操作装置６０の制御部６９は、操作ボタン群６１ａ〜６１ｃの操作情報を、赤外線送信する。
自覚式検眼装置５０の制御部５９は、操作情報を受信すると、自覚式検眼光学系、チャート投影機９０を制御する。これに加えて、制御部５９は、卓上操作装置７０の表示部７２を、手持操作装置６０の操作ボタン群６１ａ〜６１ｃの操作に基づいて制御する。
つまり、検眼システム１は、手持操作装置６０から、卓上操作装置７０の表示部７２を制御できるようになっている。このため、検者Ｐ１は、被検者Ｐ２から遠くの位置Ａ１にいても、検眼情報等を、表示部７２に表示して被検者Ｐ２に知らせることができる。
【００５０】
卓上操作装置７０を用いた検査について説明する。
検者Ｐ１は、椅子に座りながら、被検者Ｐ２から近くの位置Ａ１で、卓上操作装置７０の操作ボタン群７１ａ、表示部７２に表示した操作ボタン群７１ｂ，７１ｃにより、手持操作装置６０と同様に、自覚式検眼装置５０を操作できる。
前述したように、制御部７９は、手持操作装置６０の操作ボタン群６１ｂ，６１ｃと同様な配置で、操作ボタン群７１ｂ，７１ｃを表示部７２に表示する。このため、検者Ｐ１は、手持操作装置６０の操作方法に慣れている場合や、卓上操作装置７０及び手持操作装置６０を交互に操作するような場面でも、混乱せずに操作できる。
また、検者Ｐ１は、表示部７２に検眼情報等を表示して、検眼情報等を被検者Ｐ２に説明しながら検眼できる。
【００５１】
なお、前述した記憶装置３０の入出力端子３３は、卓上操作装置７０の入出力端子７３にも接続できる。このため、検者Ｐ１は、自覚式検眼の開始時には、記憶装置３０の検眼情報を、卓上操作装置７０を介して、自覚式検眼装置５０の検眼情報記憶部５８ｂ（図２参照）に有線で移動できる。これにより、検者Ｐ１は、卓上操作装置７０を用いる場合には、記憶装置３０の入出力端子３３を自覚式検眼装置５０の入出力端子５３に接続しなくても、検眼情報を自覚式検眼装置５０に移動できるので、利便性がよい。
【００５２】
以上説明したように、検眼システム１は、手持操作装置６０、卓上操作装置７０を備えるので、検査状況（検者Ｐ１の位置等）に柔軟に対応できる。
また、手持操作装置６０及び自覚式検眼装置５０間は、無線通信に赤外線を利用するので、医療装置への影響を軽減できる。
【００５３】
以上、本発明の実施形態について説明したが、本発明は前述した実施形態に限定されるものではなく、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５４】
（変形形態）
（１）本実施形態において、記憶装置に検眼情報を送信する装置は、他覚式検眼装置である例を示したが、これに限定されない。例えば、記憶装置に検眼情報を送信する装置（第１検眼装置）はレンズメータでもよい。この場合には、被検者が所有している眼鏡等の情報（検眼情報）を、レンズメータを計測して、記憶装置を用いて自覚式検眼装置に移動できる。
【００５５】
（２）本実施形態において、記憶装置の送信方法は、記憶部の設定又は通信切り替えスイッチの操作に基づいて選択される例を示したが、これに限定されない。例えば、記憶装置の送信方法は、記憶装置の入出力端子が、他覚式検眼装置の入出力端子又は自覚式検眼装置の入出力端子に接続されているかに基づいて、選択されてもよい。この場合には、記憶装置の制御部が、受信ボタン又は送信ボタンの操作に応じて、入出力端子の接続状況を判定し、接続されている場合には有線を選択し、かつ、接続されていない場合には無線を選択するようにすればよい。この場合には、通信設定やスイッチ操作等をすることなく、通信方法を選択できるので、利便性を向上できる。
【符号の説明】
【００５６】
１  検眼システム
１０  他覚式検眼装置
１１，５１  操作部
１３，３３，５３  入出力端子
１４  赤外線送信部
１８  記憶部  
１８ｂ，３８ｂ，５８ｂ  検眼情報記憶部
１９，３９，５９  制御部
３０  記憶装置
３１  設定スイッチ
３４  赤外線送受信部
３５  通信切り替えスイッチ
３６  受信ボタン
３７  送信ボタン
３８ａ  設定情報記憶部
５０  自覚式検眼装置
５４  赤外線受信部
６０  手持操作装置
６１ａ〜６１ｃ  操作ボタン群
６４  赤外線送信部
６９  制御部
７０  卓上操作装置
７１ａ〜７１ｃ  操作ボタン群
７２  表示部
７３  入出力端子
Ｐ１  検者
Ｐ２  被検者
【図１】
2015009086.tif 000003
【図２】
2015009086.tif 000004
【図３】
2015009086.tif 000005
【図４】
2015009086.tif 000006
【図５】
2015009086.tif 000007
【図６】
2015009086.tif 000008
【図７】
2015009086.tif 000009
【図８】
2015009086.tif 000010